(57)【要約】【課題】テレビジョン装置本体を薄型にした場合でも、スピーカから出力される音の質が低下するのを抑制することが可能なテレビジョン装置を提供する。【解決手段】このテレビジョン装置１００は、背面が壁２００に対向するように配置され、前面に表示部１１を含むテレビジョン装置本体１と、テレビジョン装置本体１用の左音声用スピーカ装置３ａおよび右音声用スピーカ装置３ｂとを備える。そして、左音声用スピーカ装置３ａおよび右音声用スピーカ装置３ｂは、それぞれ、テレビジョン装置本体１の表示部１１と略平行な方向に音声を出力するように、テレビジョン装置本体１と壁２００との間の空間に配置されている。【選択図】図１
2014072870.tif 000002
【特許請求の範囲】
【請求項１】
背面が壁に対向するように配置され、前面に表示部を含むテレビジョン装置本体と、
前記テレビジョン装置本体用の左音声用スピーカ装置および右音声用スピーカ装置とを備え、
前記左音声用スピーカ装置および前記右音声用スピーカ装置は、それぞれ、前記テレビジョン装置本体の前記表示部と略平行な方向に音声を出力するように、前記テレビジョン装置本体と前記壁との間の空間に配置されている、テレビジョン装置。
【請求項２】
前記テレビジョン装置本体を前記壁に固定するための格子状の固定部材をさらに備え、
前記左音声用スピーカ装置および前記右音声用スピーカ装置は、それぞれ、前記格子状の固定部材に取り付けられている、請求項１に記載のテレビジョン装置。
【請求項３】
前記固定部材は、前記テレビジョン装置本体に取り付けられるテレビ側固定部材と、前記壁に取り付けられる壁側固定部材とを含むとともに、前記テレビ側固定部材を前記壁側固定部材に取り付けて前記テレビジョン装置本体を前記壁に固定するように構成されており、
前記左音声用スピーカ装置および前記右音声用スピーカ装置は、それぞれ、前記テレビ側固定部材に取り付けられている、請求項２に記載のテレビジョン装置。
【請求項４】
前記左音声用スピーカ装置および前記右音声用スピーカ装置に音声を出力するアンプ装置をさらに備え、
前記アンプ装置は、前記テレビジョン装置本体と前記壁との間の空間で、かつ、前記格子状の固定部材の格子状に仕切られた空間に配置されている、請求項２または３に記載のテレビジョン装置。
【請求項５】
前記左音声用スピーカ装置および前記右音声用スピーカ装置は、それぞれ、前記テレビジョン装置本体と前記壁との間の空間で、かつ、前記格子状の固定部材の格子状に仕切られた空間に配置されている、請求項２〜４のいずれか１項に記載のテレビジョン装置。
【請求項６】
前記左音声用スピーカ装置および前記右音声用スピーカ装置は、それぞれ、前記テレビジョン装置本体と前記壁との間の空間で、かつ、前記テレビジョン装置本体の背面の外縁部近傍に配置されている、請求項１〜５のいずれか１項に記載のテレビジョン装置。
【請求項７】
映像を出力するオーディオ機器または映像を記録する記録機器をさらに備え、
前記オーディオ機器または前記記録機器は、前記テレビジョン装置本体と前記壁との間の空間に配置されている、請求項１〜６のいずれか１項に記載のテレビジョン装置。
【発明の詳細な説明】
【技術分野】
【０００１】
この発明は、テレビジョン装置に関し、特に、背面が壁に対向するように配置されるテレビジョン装置に関する。
【背景技術】
【０００２】
従来、背面が壁に対向するように配置されるテレビジョン装置が知られている（たとえば、特許文献１参照）。
【０００３】
上記特許文献１には、背面が壁に対向するように配置され、前面に表示部を含むテレビジョン装置が開示されている。このテレビジョン装置は、薄型であり、壁掛け装置により壁に固定されている。また、薄型のテレビジョン装置に内蔵されたスピーカも薄型に形成されていると考えられる。
【先行技術文献】
【特許文献】
【０００４】
【特許文献１】特開２００８−５２１３３号公報
【発明の概要】
【発明が解決しようとする課題】
【０００５】
しかしながら、上記特許文献１の薄型のテレビジョン装置では、内蔵されたスピーカも薄型に形成されていると考えられ、その分、スピーカから出力される音の質が低下してしまうという問題点がある。
【０００６】
この発明は、上記のような課題を解決するためになされたものであり、この発明の１つの目的は、テレビジョン装置本体を薄型にした場合でも、スピーカから出力される音の質が低下するのを抑制することが可能なテレビジョン装置を提供することである。
【課題を解決するための手段】
【０００７】
この発明の一の局面によるテレビジョン装置は、背面が壁に対向するように配置され、前面に表示部を含むテレビジョン装置本体と、テレビジョン装置本体用の左音声用スピーカ装置および右音声用スピーカ装置とを備え、左音声用スピーカ装置および右音声用スピーカ装置は、それぞれ、テレビジョン装置本体の表示部と略平行な方向に音声を出力するように、テレビジョン装置本体と壁との間の空間に配置されている。
【０００８】
この発明の一の局面によるテレビジョン装置では、上記のように、テレビジョン装置本体の表示部と略平行な方向に音声を出力するように、テレビジョン装置本体と壁との間の空間に左音声用スピーカ装置および右音声用スピーカ装置を設けることによって、左音声用スピーカ装置および右音声用スピーカ装置の厚みを、テレビジョン装置本体の厚みに関係なく、テレビジョン装置本体と壁との間の空間の範囲内で大きくすることができるので、テレビジョン装置本体を薄型にした場合でも、スピーカから出力される音の質が低下するのを抑制することができる。
【０００９】
上記一の局面によるテレビジョン装置において、好ましくは、テレビジョン装置本体を壁に固定するための格子状の固定部材をさらに備え、左音声用スピーカ装置および右音声用スピーカ装置は、それぞれ、格子状の固定部材に取り付けられている。このように構成すれば、格子状の固定部材を用いることにより生じるスペースを有効に利用して、左音声用スピーカ装置および右音声用スピーカ装置をテレビジョン装置本体と壁との間の空間に容易に配置することができる。
【００１０】
この場合、好ましくは、固定部材は、テレビジョン装置本体に取り付けられるテレビ側固定部材と、壁に取り付けられる壁側固定部材とを含むとともに、テレビ側固定部材を壁側固定部材に取り付けてテレビジョン装置本体を壁に固定するように構成されており、左音声用スピーカ装置および右音声用スピーカ装置は、それぞれ、テレビ側固定部材に取り付けられている。このように構成すれば、テレビジョン装置本体と、左音声用スピーカ装置および右音声用スピーカ装置とを、テレビ側固定部材に取り付けた後に、壁側固定部材に取り付けて、テレビジョン装置本体を壁に固定することができるので、左音声用スピーカ装置および右音声用スピーカ装置とテレビジョン装置本体との間の配線作業などを壁に固定する前に容易に行うことができる。これにより、左音声用スピーカ装置および右音声用スピーカ装置をテレビジョン装置本体と壁との間に設置する場合の設置作業を効率的に行うことができる。
【００１１】
上記固定部材を備える構成において、好ましくは、左音声用スピーカ装置および右音声用スピーカ装置に音声を出力するアンプ装置をさらに備え、アンプ装置は、テレビジョン装置本体と壁との間の空間で、かつ、格子状の固定部材の格子状に仕切られた空間に配置されている。このように構成すれば、テレビジョン装置本体と壁との間の空間の固定部材により格子状に仕切られた空間を有効に利用してアンプ装置を容易に配置することができるので、アンプ装置を用いて左音声用スピーカ装置および右音声用スピーカ装置から出力する音の質を向上させることができる。
【００１２】
上記固定部材を備える構成において、好ましくは、左音声用スピーカ装置および右音声用スピーカ装置は、それぞれ、テレビジョン装置本体と壁との間の空間で、かつ、格子状の固定部材の格子状に仕切られた空間に配置されている。このように構成すれば、左音声用スピーカ装置および右音声用スピーカ装置を、テレビジョン装置本体と壁との間の空間の固定部材により格子状に仕切られた空間を有効に利用して容易に配置することができる。
【００１３】
上記一の局面によるテレビジョン装置において、好ましくは、左音声用スピーカ装置および右音声用スピーカ装置は、それぞれ、テレビジョン装置本体と壁との間の空間で、かつ、テレビジョン装置本体の背面の外縁部近傍に配置されている。このように構成すれば、テレビジョン装置本体と壁との間の空間に音がこもるのを抑制することができるので、左音声用スピーカ装置および右音声用スピーカ装置から出力される音声を良好な状態でユーザに聴かせることができる。
【００１４】
上記一の局面によるテレビジョン装置において、好ましくは、映像を出力するオーディオ機器または映像を記録する記録機器をさらに備え、オーディオ機器または記録機器は、テレビジョン装置本体と壁との間の空間に配置されている。このように構成すれば、左音声用スピーカ装置および右音声用スピーカ装置に加えて、オーディオ機器または記録機器を、テレビジョン装置本体と壁との間の空間を有効に利用して容易に配置することができる。
【発明の効果】
【００１５】
本発明によれば、上記のように、テレビジョン装置本体を薄型にした場合でも、スピーカから出力される音の質が低下するのを抑制することができる。
【図面の簡単な説明】
【００１６】
【図１】本発明の第１実施形態によるテレビジョン装置の前方から見た斜視図である。
【図２】本発明の第１実施形態によるテレビジョン装置の後方から見た斜視図である。
【図３】本発明の第１実施形態によるテレビジョン装置の壁への取り付けを説明するための斜視図である。
【図４】本発明の第１実施形態によるテレビジョン装置の固定部材を示した正面図である。
【図５】本発明の第２実施形態によるテレビジョン装置の後方から見た斜視図である。
【図６】本発明の第２実施形態の変形例によるテレビジョン装置の固定部材を示した正面図である。
【発明を実施するための形態】
【００１７】
以下、本発明の実施形態を図面に基づいて説明する。
【００１８】
（第１実施形態）
図１〜図４を参照して、本発明の第１実施形態によるテレビジョン装置１００の構成について説明する。
【００１９】
テレビジョン装置１００は、図１に示すように、背面（Ｙ２方向側面）が壁２００に対向するように壁掛け状態で配置されている。また、テレビジョン装置１００は、テレビジョン装置本体１と、固定部材２と、左音声用スピーカ装置３ａと、右音声用スピーカ装置３ｂと、アンプ装置４とを備えている。
【００２０】
テレビジョン装置本体１は、前面（Ｙ１方向側面）に表示部１１を含む。また、テレビジョン装置本体１は、背面（Ｙ２方向側面）が壁２００に対向するように配置されている。また、テレビジョン装置本体１は、固定部材２により、壁２００に固定されている。また、テレビジョン装置本体１は、表示部１１と直交する前後方向（Ｙ方向）が薄く形成されたいわゆる薄型テレビである。表示部１１は、テレビジョン放送などの画像を表示するように構成されている。また、表示部１１は、液晶ディスプレイにより構成されている。
【００２１】
固定部材２は、テレビジョン装置本体１を壁掛け状態で固定するように構成されている。また、固定部材２は、図２に示すように、一対のテレビ側固定部材２１と、上側固定部材２２と、一対の壁側固定部材２３と、下側固定部材２４と、平板状の一対の連結部材２５とを含む。固定部材２の一対のテレビ側固定部材２１、上側固定部材２２、一対の壁側固定部材２３、下側固定部材２４、および、一対の連結部材２５は、鉄材やアルミなどの金属により形成されている。なお、テレビ側固定部材２１および上側固定部材２２は、本発明の「テレビ側固定部材」の一例である。また、壁側固定部材２３および下側固定部材２４は、本発明の「壁側固定部材」の一例である。
【００２２】
また、固定部材２は、図４に示すように、略鉛直方向（Ｚ方向）に延びる一対のテレビ側固定部材２１と、左右方向（Ｘ方向）に延びる上側固定部材２２および下側固定部材２４とにより、格子状に形成されている。一対のテレビ側固定部材２１および上側固定部材２２は、テレビジョン装置本体１に取り付けられるように構成されている。一対の壁側固定部材２３および下側固定部材２４は、壁２００に取り付けられるように構成されている。また、テレビジョン装置本体１に取り付けられた一対のテレビ側固定部材２１および上側固定部材２２を、壁２００に取り付けられた一対の壁側固定部材２３および下側固定部材２４に取り付けてテレビジョン装置本体１を壁２００に固定するように構成されている。
【００２３】
一対のテレビ側固定部材２１は、図２に示すように、略鉛直方向（Ｚ方向）に延びるように形成されている。また、一対のテレビ側固定部材２１は、左右方向（Ｘ方向）に所定の間隔を隔ててテレビジョン装置本体１の背面に取り付けられている。具体的には、一対のテレビ側固定部材２１は、それぞれ、取付部２１ａにおいて、ネジによりテレビジョン装置本体１に固定されている。また、一対のテレビ側固定部材２１は、それぞれ、フック部２１ｂが下側固定部材２４に係合して、壁２００に取り付けられるように構成されている。
【００２４】
上側固定部材２２は、図３に示すように、左右方向（Ｘ方向）に延びるように形成されている。また、上側固定部材２２は、一対のテレビ側固定部材２１に対して直交するように取り付けられている。また、上側固定部材２２には、一対の角度調整板２２ａが回動可能に取り付けられている。一対の角度調整板２２ａは、テレビジョン装置本体１のＸ軸周りの回動角度の調整（前後方向のチルト角調整）を行うために設けられている。具体的には、一対の角度調整板２２ａは、それぞれ、壁側固定部材２３のネジ穴２３ｂ（図３参照）に螺合される角度調整ネジ２６ａが挿入される円弧形状のスリット２２ｂを有する。そして、テレビジョン装置本体１のＸ軸周りの回動角度に応じて、スリット２２ｂに対する角度調整ネジ２６ａのネジ止め位置を調整可能に構成されている。また、上側固定部材２２は、アンプ取付部２２ｃを有する。アンプ取付部２２ｃは、一対のテレビ側固定部材２１の間に配置され、アンプ装置４が取り付けられて固定されるように構成されている。また、上側固定部材２２の左右の両端には、スピーカ装置が取り付けられている。具体的には、上側固定部材２２の左方向（Ｘ１方向）の端部には、連結部材２５を介して、左音声用スピーカ装置３ａが左音声用スピーカ装置３ａの内側からネジにより取り付けられている。また、上側固定部材２２の右方向（Ｘ２方向）の端部には、連結部材２５を介して、右音声用スピーカ装置３ｂが右音声用スピーカ装置３ｂの内側からネジにより取り付けられている。
【００２５】
一対の壁側固定部材２３は、図３に示すように、略鉛直方向（Ｚ方向）に延びるように形成されている。また、一対の壁側固定部材２３は、左右方向（Ｘ方向）に所定の間隔を隔てて壁２００に取り付けられている。具体的には、一対の壁側固定部材２３は、それぞれ、取付部２３ａにおいて、ネジ止めされて壁２００に固定されている。また、一対の壁側固定部材２３は、それぞれ、ネジ穴２３ｂにおいて、上側固定部材２２の一対の角度調整板２２ａが角度調整ネジ２６ａによりネジ止めされている。
【００２６】
下側固定部材２４は、図３に示すように、左右方向（Ｘ方向）に延びるように形成されている。また、下側固定部材２４は、一対の壁側固定部材２３に対して直交するように取り付けられている。また、下側固定部材２４の左右の両端には、連結部材２５がネジ止めされている。
【００２７】
一対の連結部材２５は、図２に示すように、略鉛直方向（Ｚ方向）に延びるように形成されている。また、一対の連結部材２５は、テレビジョン装置本体１側に固定された上側固定部材２２と、壁２００側に固定された下側固定部材２４とを連結するように構成されている。具体的には、一対の連結部材２５は、上側固定部材２２および下側固定部材２４の左右方向（Ｘ方向）の両端において、上側固定部材２２および下側固定部材２４を略鉛直方向（Ｚ方向）に連結している。
【００２８】
ここで、第１実施形態では、左音声用スピーカ装置３ａおよび右音声用スピーカ装置３ｂは、それぞれ、テレビジョン装置本体１用のステレオ音声を出力するように構成されている。具体的には、左音声用スピーカ装置３ａは、テレビジョン装置本体１用の左用の音声を出力するように構成されている。右音声用スピーカ装置３ｂは、テレビジョン装置本体１用の右用の音声を出力するように構成されている。また、図１に示すように、左音声用スピーカ装置３ａおよび右音声用スピーカ装置３ｂは、それぞれ、テレビジョン装置本体１の表示部１１と略平行な方向に音声を出力するように配置されている。具体的には、左音声用スピーカ装置３ａは、左方向（Ｘ１方向）に音声を出力するように配置されている。右音声用スピーカ装置３ｂは、右方向（Ｘ２方向）に音声を出力するように配置されている。また、左音声用スピーカ装置３ａおよび右音声用スピーカ装置３ｂは、それぞれ、テレビジョン装置本体１と壁２００との間の空間に配置されている。
【００２９】
また、左音声用スピーカ装置３ａおよび右音声用スピーカ装置３ｂは、それぞれ、格子状の固定部材２（上側固定部材２２）に取り付けられている。具体的には、左音声用スピーカ装置３ａおよび右音声用スピーカ装置３ｂは、それぞれ、テレビジョン装置本体１と壁２００との間の空間で、かつ、テレビジョン装置本体１の背面の外縁部近傍に配置されている。また、左音声用スピーカ装置３ａおよび右音声用スピーカ装置３ｂは、図４に示すように、正面視において（Ｙ１方向から見て）、テレビジョン装置本体１の後側（Ｙ２方向側）に全て隠れるように（テレビジョン装置本体１から露出しないように）配置されている。また、図２に示すように、左音声用スピーカ装置３ａおよび右音声用スピーカ装置３ｂは、それぞれ、ケーブル３１を介してアンプ装置４に接続されている。
【００３０】
アンプ装置４は、テレビジョン装置本体１から出力される音声信号を増幅して、左音声用スピーカ装置３ａおよび右音声用スピーカ装置３ｂに出力するように構成されている。また、アンプ装置４は、テレビジョン装置本体１と壁２００との間の空間で、かつ、格子状の固定部材２の格子状に仕切られた空間に配置されている。具体的には、アンプ装置４は、上側固定部材２２のアンプ取付部２２ｃに取り付けられている。また、アンプ装置４は、鉛直方向（Ｚ方向）において上側固定部材２２および下側固定部材２４の間で、左右方向（Ｘ方向）において一対のテレビ側固定部材２１の間の空間に配置されている。
【００３１】
次に、上記した第１実施形態によるテレビジョン装置１００の組立手順について説明する。まず、図３に示すように、一対のテレビ側固定部材２１および上側固定部材２２をテレビジョン装置本体１の背面（Ｙ２方向側面）に取り付ける。具体的には、一対のテレビ側固定部材２１の取付部２１ａにおいてネジ止めして、一対のテレビ側固定部材２１および上側固定部材２２をテレビジョン装置本体１に固定する。
【００３２】
次に、上側固定部材２２の左右にスピーカ装置および連結部材２５を取り付ける。具体的には、上側固定部材２２の左方向（Ｘ１方向）の端部に、連結部材２５を挟んで、左音声用スピーカ装置３ａを左音声用スピーカ装置３ａの内側からネジ止めして固定する。また、上側固定部材２２の右方向（Ｘ２方向）の端部に、連結部材２５を挟んで、右音声用スピーカ装置３ｂを右音声用スピーカ装置３ｂの内側からネジ止めして固定する。そして、上側固定部材２２のアンプ取付部２２ｃにアンプ装置４をネジ止めして固定する。また、アンプ装置４と、左音声用スピーカ装置３ａおよび右音声用スピーカ装置３ｂとを、ケーブル３１により接続する。また、アンプ装置４と、テレビジョン装置本体１とをケーブル（図示せず）により接続する。
【００３３】
そして、一対の壁側固定部材２３および下側固定部材２４を壁２００に取り付ける。具体的には、一対の壁側固定部材２３の取付部２３ａにおいてネジ止めして、一対の壁側固定部材２３および下側固定部材２４を壁２００に固定する。次に、一対のテレビ側固定部材２１のフック部２１ｂを、下側固定部材２４に係合させる。そして、上側固定部材２２の一対の角度調整板２２ａを、それぞれ、壁側固定部材２３にネジ止めする。具体的には、テレビジョン装置本体１のＸ軸周りの回動角度に応じて、角度調整板２２ａのスリット２２ｂのネジ止め位置を調整して、壁側固定部材２３のネジ穴２３ｂに角度調整ネジ２６ａによりネジ止めする。そして、左右の連結部材２５および下側固定部材２４をネジ２６ｂにより固定する。以上により、テレビジョン装置１００が組み立てられて壁掛け状態で壁２００に固定される。
【００３４】
第１実施形態では、上記のように、テレビジョン装置本体１の表示部１１と略平行なＸ方向に音声を出力するように、テレビジョン装置本体１と壁２００との間の空間に左音声用スピーカ装置３ａおよび右音声用スピーカ装置３ｂを設けることによって、左音声用スピーカ装置３ａおよび右音声用スピーカ装置３ｂの厚み（Ｙ方向の長さ）を、テレビジョン装置本体１の厚みに関係なく、テレビジョン装置本体１と壁２００との間の空間の範囲内で大きくすることができるので、テレビジョン装置本体１を薄型にした場合でも、スピーカから出力される音の質が低下するのを抑制することができる。
【００３５】
また、第１実施形態では、上記のように、左音声用スピーカ装置３ａおよび右音声用スピーカ装置３ｂを、それぞれ、格子状の固定部材２に取り付けることによって、格子状の固定部材２を用いることにより生じるスペースを有効に利用して、左音声用スピーカ装置３ａおよび右音声用スピーカ装置３ｂをテレビジョン装置本体１と壁２００との間の空間に容易に配置することができる。
【００３６】
また、第１実施形態では、上記のように、一対のテレビ側固定部材２１および上側固定部材２２を一対の壁側固定部材２３および下側固定部材２４に取り付けてテレビジョン装置本体１を壁２００に固定するとともに、左音声用スピーカ装置３ａおよび右音声用スピーカ装置３ｂを、それぞれ、一対のテレビ側固定部材２１および上側固定部材２２に取り付ける。これにより、テレビジョン装置本体１と、左音声用スピーカ装置３ａおよび右音声用スピーカ装置３ｂとを、一対のテレビ側固定部材２１および上側固定部材２２に取り付けた後に、一対の壁側固定部材２３および下側固定部材２４に取り付けて、テレビジョン装置本体１を壁２００に固定することができるので、左音声用スピーカ装置３ａおよび右音声用スピーカ装置３ｂとテレビジョン装置本体１との間の配線作業などを壁２００に固定する前に容易に行うことができる。その結果、左音声用スピーカ装置３ａおよび右音声用スピーカ装置３ｂをテレビジョン装置本体１と壁２００との間に設置する場合の設置作業を効率的に行うことができる。
【００３７】
また、第１実施形態では、上記のように、アンプ装置４を、テレビジョン装置本体１と壁２００との間の空間で、かつ、格子状の固定部材２の格子状に仕切られた空間に配置する。これにより、テレビジョン装置本体１と壁２００との間の空間の固定部材２により格子状に仕切られた空間を有効に利用してアンプ装置４を容易に配置することができるので、アンプ装置４を用いて左音声用スピーカ装置３ａおよび右音声用スピーカ装置３ｂから出力する音の質を向上させることができる。
【００３８】
また、第１実施形態では、上記のように、左音声用スピーカ装置３ａおよび右音声用スピーカ装置３ｂを、それぞれ、テレビジョン装置本体１と壁２００との間の空間で、かつ、テレビジョン装置本体１の背面の外縁部近傍に配置する。これにより、テレビジョン装置本体１と壁２００との間の空間に音がこもるのを抑制することができるので、左音声用スピーカ装置３ａおよび右音声用スピーカ装置３ｂから出力される音声を良好な状態でユーザに聴かせることができる。
【００３９】
（第２実施形態）
次に、図５を参照して、本発明の第２実施形態によるテレビジョン装置３００について説明する。この第２実施形態では、上記第１実施形態と異なり、左音声用スピーカ装置および右音声用スピーカ装置が、それぞれ、テレビ側固定部材２１に取り付けられた構成について説明する。
【００４０】
ここで、第２実施形態では、テレビジョン装置３００は、図５に示すように、テレビジョン装置本体１と、固定部材２と、左音声用スピーカ装置３ｃと、右音声用スピーカ装置３ｄと、アンプ装置４と、サブウーハー装置５とを備えている。テレビジョン装置本体１は、背面（Ｙ２方向側面）が壁２００に対向するように壁掛け状態で配置されている。
【００４１】
左音声用スピーカ装置３ｃおよび右音声用スピーカ装置３ｄは、それぞれ、テレビジョン装置本体１用のステレオ音声を出力するように構成されている。また、左音声用スピーカ装置３ｃおよび右音声用スピーカ装置３ｄは、それぞれ、エンクロージャ（図示せず）を有し、音声を効率よく出力するように構成されている。また、図５に示すように、左音声用スピーカ装置３ｃおよび右音声用スピーカ装置３ｄは、それぞれ、テレビジョン装置本体１の表示部１１と略平行な方向に音声を出力するように配置されている。具体的には、左音声用スピーカ装置３ｃは、左方向（Ｘ１方向）に音声を出力するように配置されている。右音声用スピーカ装置３ｄは、右方向（Ｘ２方向）に音声を出力するように配置されている。また、左音声用スピーカ装置３ｃおよび右音声用スピーカ装置３ｄは、それぞれ、テレビジョン装置本体１と壁２００との間の空間に配置されている。
【００４２】
また、第２実施形態では、左音声用スピーカ装置３ｃおよび右音声用スピーカ装置３ｄは、それぞれ、格子状の固定部材２に取り付けられている。具体的には、左音声用スピーカ装置３ｃおよび右音声用スピーカ装置３ｄは、それぞれ、テレビジョン装置本体１に取り付けられた一対のテレビ側固定部材２１に取り付けられている。詳しくは、左音声用スピーカ装置３ｃは、左方向（Ｘ１方向）側のテレビ側固定部材２１の外側（Ｘ１方向側）にネジにより固定されている。また、右音声用スピーカ装置３ｄは、右方向（Ｘ２方向）側のテレビ側固定部材２１の外側（Ｘ２方向側）にネジにより固定されている。
【００４３】
また、左音声用スピーカ装置３ｃおよび右音声用スピーカ装置３ｄは、それぞれ、テレビジョン装置本体１と壁２００との間の空間で、かつ、格子状の固定部材２の格子状に仕切られた空間に配置されている。具体的には、左音声用スピーカ装置３ｃは、左側のテレビ側固定部材２１と、上側固定部材２２および下側固定部材２４とにより格子状に仕切られた空間に配置されている。また、右音声用スピーカ装置３ｄは、右側のテレビ側固定部材２１と、上側固定部材２２および下側固定部材２４とにより格子状に仕切られた空間に配置されている。
【００４４】
サブウーハー装置５は、左音声用スピーカ装置３ｃおよび右音声用スピーカ装置３ｄから出力される音声のうち低音域の音声を補って出力するように構成されている。また、サブウーハー装置５は、テレビジョン装置本体１と壁２００との間の空間で、かつ、格子状の固定部材２の格子状に仕切られた空間に配置されている。具体的には、サブウーハー装置５は、下側固定部材２４の下側（Ｚ２方向側）で、左右方向（Ｘ方向）において一対のテレビ側固定部材２１に挟まれた空間に配置されている。また、サブウーハー装置５は、テレビ側固定部材２１に左右の両端がネジにより固定されている。また、サブウーハー装置５は、ケーブル（図示せず）によりアンプ装置４に接続されている。
【００４５】
なお、第２実施形態のその他の構成は、上記第１実施形態と同様である。
【００４６】
上記のように、第２実施形態の構成においても、上記第１実施形態と同様に、テレビジョン装置本体１と壁２００との間の空間に左音声用スピーカ装置３ｃおよび右音声用スピーカ装置３ｄを設けることによって、テレビジョン装置本体１を薄型にした場合でも、スピーカから出力される音の質が低下するのを抑制することができる。
【００４７】
また、第２実施形態では、上記のように、左音声用スピーカ装置３ｃおよび右音声用スピーカ装置３ｄを、それぞれ、テレビジョン装置本体１と壁２００との間の空間で、かつ、格子状の固定部材２の格子状に仕切られた空間に配置する。これにより、左音声用スピーカ装置３ｃおよび右音声用スピーカ装置３ｄを、テレビジョン装置本体１と壁２００との間の空間の固定部材２により格子状に仕切られた空間を有効に利用して容易に配置することができる。
【００４８】
なお、第２実施形態のその他の効果は、上記第１実施形態と同様である。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記第１および第２実施形態では、テレビジョン装置本体を固定部材により壁に固定する構成の例を示したが、本発明はこれに限られない。本発明では、テレビジョン装置本体の背面が壁に対向するように配置されていれば、テレビジョン装置本体を固定部材により壁に固定しなくてもよい。たとえば、テレビジョン装置本体の背面が壁に対向する状態で、テレビ台または床に載置するようにしてもよい。
【００５１】
また、上記第２実施形態では、テレビジョン装置本体と壁との間に左音声用スピーカ装置および右音声用スピーカ装置と、アンプ装置と、サブウーハー装置とを設ける構成の例を示したが、本発明はこれに限られない。本発明では、さらに、その他のオーディオ機器または記録機器がテレビジョン装置本体と壁との間に配置されていてもよい。たとえば、図６に示す変形例ように、テレビジョン装置４００は、映像を出力するＢＤ（ブルーレイディスク）プレイヤー装置６、および、映像を記録するＨＤＤ（ハードディスクドライブ）装置７がテレビジョン装置本体１と壁２００との間に配置されていてもよい。なお、ＢＤプレイヤー装置６は、本発明の「オーディオ機器」の一例であり、ＨＤＤ装置７は、本発明の「記録機器」の一例である。また、ＢＤプレイヤー装置以外のオーディオ機器またはＨＤＤ装置以外の記録機器が、テレビジョン装置本体と壁との間に配置されていてもよい。たとえば、ＢＤレコーダ装置などの録画装置、ＳＴＢ（セットトップボックス）装置、ストリーミングプレイヤー装置、または、ゲーム機などのオーディオ機器または記録機器がテレビジョン装置本体と壁との間に配置されていてもよい。
【００５２】
また、上記第１および第２実施形態では、固定部材が鉄材やアルミにより形成されている構成の例を示したが、本発明はこれに限られない。本発明では、固定部材は、鉄材やアルミ以外の材料で形成されていてもよい。たとえば、固定部材は、鉄材やアルミ以外の金属により形成されていてもよいし、プラスチックなどの樹脂により形成されていてもよい。
【００５３】
また、上記第１および第２実施形態では、左音声用スピーカ装置および右音声用スピーカ装置を、それぞれ、左右方向に音声を出力するように配置する構成の例を示したが、本発明はこれに限られない。本発明では、左音声用スピーカ装置および右音声用スピーカ装置が、それぞれ、テレビジョン装置本体の表示部と略平行な方向に音声を出力するように配置されていれば、左音声用スピーカ装置および右音声用スピーカ装置を、それぞれ、左右方向以外の方向に音声を出力するように配置してもよい。たとえば、左音声用スピーカ装置および右音声用スピーカ装置を、上方向または下方向に音声を出力するように配置してもよい。この場合、音声の出力方向に合うように、左音声用スピーカ装置および右音声用スピーカ装置を、テレビジョン装置本体の上方向の外縁部近傍の左右または下方向の外縁部近傍の左右に配置するのが好ましい。
【００５４】
また、上記第１および第２実施形態では、左音声用スピーカ装置および右音声用スピーカ装置の配線が固定部材の外部に配置されている構成の例を示したが、本発明はこれに限られない。本発明では、固定部材を中空構造にして、左音声用スピーカ装置および右音声用スピーカ装置の配線を固定部材の中に通すようにしてもよい。
【符号の説明】
【００５５】
１  テレビジョン装置本体
２  固定部材
３ａ、３ｃ  左音声用スピーカ装置
３ｂ、３ｄ  右音声用スピーカ装置
４  アンプ装置
６  ＢＤプレイヤー装置（オーディオ機器）
７  ＨＤＤ装置（記録機器）
１１  表示部
２１  テレビ側固定部材
２２  上側固定部材（テレビ側固定部材）
２３  壁側固定部材
２４  下側固定部材（壁側固定部材）
１００、３００、４００  テレビジョン装置
２００  壁
【図１】
2014072870.tif 000003
【図２】
2014072870.tif 000004
【図３】
2014072870.tif 000005
【図４】
2014072870.tif 000006
【図５】
2014072870.tif 000007
【図６】
2014072870.tif 000008